(57)【要約】【課題】スナップイン型の防水防塵スイッチにおいて、使用環境に応じた所望の防水性および防塵性を実現する。【解決手段】  フランジ部１３および係止片１５を有するハウジング１０とフランジ部１３を覆う防水防塵カバー５０とを備え、ハウジング１０をパネルの取付孔Ｑに挿入し、取付孔Ｑに係止片１５を係止させてパネルＰに取り付けるスナップイン型のロッカスイッチ１において、防水防塵カバー５０は、フランジ部１３の裏面から突出するリブ５３を有する。ハウジング１０は着脱自在に装着される線ばね３０を備える。線ばね３０は、ハウジング１０への装着時、フランジ部１３の近傍で外方に湾曲する湾曲部３２を有し、この湾曲部３２がパネルＰを裏面から押圧する。【選択図】図５
2019067539.tif 000002
【特許請求の範囲】
【請求項１】
フランジ部および該フランジ部へ延びる係止片を有するハウジングと前記フランジ部を覆う防水防塵カバーとを備え、該ハウジングをパネルの取付孔に挿入し、該取付孔に前記係止片を係止させて前記パネルに取り付ける防水防塵スイッチであって、
前記防水防塵カバーが前記フランジ部の裏面から突出するリブを有するものであり、
前記ハウジングが、該ハウジングに着脱自在に装着される線部材を備え、
該線部材が、前記ハウジングへの装着時、前記フランジ部の近傍で外方に湾曲する湾曲部を有するものであり、
該湾曲部が、前記パネルへ取り付けた状態において、前記パネルを裏面から押圧することを特徴とする防水防塵スイッチ。
【請求項２】
前記ハウジングが、該ハウジングの底部の近傍に前記線部材を引っ掛ける引掛部を有するものであり、
前記線部材が、前記引掛部を挟んで線上部および線下部を有し、
前記線上部および前記線下部が、前記引っ掛けにより、前記ハウジングと当接していることを特徴とする請求項１に記載の防水防塵スイッチ。
【請求項３】
前記引掛部が、前記線下部を前記内方へ撓ませるように、前記線部材を引っ掛けることを特徴とする請求項２に記載の防水防塵スイッチ。
【請求項４】
前記ハウジングが前記線部材を２つ備えるとともに、各該線部材が対向するように前記ハウジングに装着されることを特徴とする請求項１〜３のいずれか１項に記載の防水防塵スイッチ。
【請求項５】
前記ハウジングが、該ハウジングの第１側面に前記係止片を有し、前記第１側面とは異なる第２側面に前記線部材を装着することを特徴とする請求項１〜４のいずれか１項に記載の防水防塵スイッチ。
【発明の詳細な説明】
【技術分野】
【０００１】
本発明は防水性および防塵性を有する防水防塵スイッチに関する。より詳しくは、パネルに開いた取付孔へハウジングを挿入し、ハウジングのフランジ部とパネルとの間で防水防塵用のカバーを挟持することにより、防水性および防塵性を実現する防水防塵スイッチに関する。
【背景技術】
【０００２】
従来、パネルに取付孔を開けて、この取付孔にパネルの表面からハウジングを挿入し、ハウジングのフランジ部を露出させた状態でパネルにワンタッチで取り付けるスナップイン型のスイッチが知られている。このスナップイン型のスイッチは、特殊車両や各種の産業機器に電源スイッチ等として広く利用されている。
【０００３】
スナップイン型のスイッチは、ハウジングの底部からフランジ部に向けて延びる係止片を有しており、この係止片の先端部を取付孔の内周面に係止させることにより、パネルに取り付けた状態を保持できる。
【０００４】
特許文献１には、フランジ部の裏側にリブが形成された防水防塵用のカバーを備え、このリブをフランジ部とパネルとの間で挟持し圧接することにより、フランジ部とパネルとの隙間からパネルの裏側への水や粉塵が進入することを防止する技術が提案されている。なお、このリブの圧接は係止片の係止力により維持されている。
【先行技術文献】
【特許文献】
【０００５】
【特許文献１】特開平１１−２４２９２２号公報
【発明の概要】
【発明が解決しようとする課題】
【０００６】
近年、スナップイン型のスイッチを農業や建設業のような厳しい環境で使用する特殊車輌や産業用装置に使用したいという要望がある。そして、このような厳しい環境で使用するためには、通常よりも高い防水性および防塵性が要求される。たとえば国際保護等級（IP６８等）を満たす防水性および防塵性が要求される場合もある。このような高い性能を満たすには、地上だけではなく、水中での使用を想定する必要がある。
【０００７】
しかしながら、水中環境では水圧の影響を受ける。たとえば、水面付近では水圧が弱く浸水を防止できるが、水深が増すにつれ水圧が上昇して浸水が発生する。浸水が発生した深さより更に深くなると、フランジ部がパネルへ押し付けられ浸水が止まる場合もある。このように、従来の防水防塵スイッチは使用環境によって防水性および防塵性にばらつきが生じてしまう。
【０００８】
本発明の目的は、上記事情に鑑み、使用環境に応じた所望の防水性および防塵性を実現できる防水防塵スイッチを提供することである。
【課題を解決するための手段】
【０００９】
本発明の防水防塵スイッチは、上記課題を解決するため、フランジ部およびフランジ部へ延びる係止片を有するハウジングとハウジングを覆う防水防塵カバーとを備え、ハウジングをパネルの取付孔に挿入し、取付孔に係止片を係止させてパネルに取り付ける防水防塵スイッチであって、防水防塵カバーがフランジ部の裏面より突出するリブを有するものであり、ハウジングが、ハウジングに着脱自在に装着される線部材を備え、線部材が、ハウジングへの装着時、フランジ部の近傍で外方に湾曲する湾曲部を有するものであり、湾曲部が、パネルへ取り付けた状態において、パネルを裏面から押圧することを特徴とする。
【００１０】
ここで、本発明における「フランジ部の裏面」とは、ハウジングを取り付けた際、パネルの表面と対向する面を意味する。
【００１１】
また、上記「外方に湾曲」とは、線部材が装着されたハウジングの面に対して離間するように湾曲することを意味する。
【００１２】
また、本発明の防水防塵スイッチにおいて、ハウジングが、このハウジングの底部の近傍に線部材を引っ掛ける引掛部を有してもよく、線部材が、引掛部を挟んで線上部および線下部を有してもよく、線上部および線下部が、引っ掛けにより、ハウジングと当接してもよい。
【００１３】
また、本発明の防水防塵スイッチにおいて、引掛部は、線下部を内方へ撓ませるように、線部材を引っ掛けてもよい。
【００１４】
また、上記「内方へ撓ませる」とは、線部材が装着されたハウジングの側面に近接するように撓ませることを意味する。
【００１５】
また、本発明の防水防塵スイッチにおいて、ハウジングが線部材を２つ備えるとともに、各線部材が対向するようにハウジングに装着されてもよい。
【００１６】
また、本発明の防水防塵スイッチにおいて、ハウジングが、第１側面に係止片を有し、第１側面とは異なる第２側面に線部材を装着してもよい。
【発明の効果】
【００１７】
本発明によれば、ハウジングに線部材を装着した際、湾曲部がフランジ部の近傍で外方に湾曲し、ハウジングをパネルに取り付け状態において、パネルの裏面を押圧するため、係止力のみで圧接を維持しているよりも強く圧接でき、通常よりも高い防水性および防塵性を実現できる。また、線部材は脱着可能でもあるため、使用環境に応じて所望の防水性および防塵性も実現できる。
【００１８】
また、本発明によれば、ハウジングが底部の近傍に引掛部、線材が引掛部を挟んで線上部と線下部とを有し、線上部および線下部がハウジングに当接していれば、線部材を引掛部に引っ掛けるという簡単な操作で、線上部と線下部がハウジングに装着できるため、使用環境に応じた防水性および防塵性をより容易に実現できる。
【００１９】
また、本発明によれば、引掛部が、線下部を内方へ撓ませるように、線部材を引っ掛けていれば、線部材はハウジングを押圧した状態で装着され確実な装着を実現できるとともに、使用環境に応じた防水性および防塵性をも実現できる。
【図面の簡単な説明】
【００２０】
【図１】スナップイン型のロッカスイッチの斜視図
【図２】スナップイン型のロッカスイッチの分解斜視図
【図３】スナップイン型のロッカスイッチの断面図
【図４】スナップイン型のロッカスイッチのパネルへ取り付けを示す図
【図５】スナップイン型のロッカスイッチのパネルへ取り付け状態を示す図
【図６】スナップイン型のロッカスイッチの変形例を示す図
【発明を実施するための形態】
【００２１】
本発明の実施形態について図面を用いて詳細に説明する。ロッカスイッチ１は本発明の一実施形態である。ロッカスイッチ１は、パネルPの取付孔Qへワンタッチで取り付けできるスナップイン型である。図１はロッカスイッチ１の斜視図、図２はロッカスイッチ１の分解斜視図、図３はロッカスイッチ１の断面図、図４はロッカスイッチ１のパネルPへの取り付けおよび図５はロッカスイッチ１のパネルPへの取り付け状態をそれぞれ示す。
【００２２】
最初にロッカスイッチ１の構成を説明する。ロッカスイッチ１は、これらの図が示すように、断面矩形で筒状のハウジング１０、このハウジング１０の底部１１から嵌挿され保持されるケース２０、ハウジング１０の幅広側面１２に着脱自在にそれぞれ装着される２つの線ばね３０、ハウジング１０に揺動自在に保持されるボタン４０、ハウジング１０のフランジ部１３およびボタン４０を覆う防水防塵カバー５０、ボタン４０および防水防塵カバー５０の両方に取り付けられる操作板６０を備えている。
【００２３】
線ばね３０は特許請求の範囲における「線部材」に相当する。ロッカスイッチ１は、ハウジング１０に揺動自在に収容され、ボタン４０と接続する転換子７０、転換子７０に挿入保持された滑動棒８０、転換子７０に収容され、滑動棒８０を突出するよう付勢するコイルばね９０を備えている。
【００２４】
さらに、ロッカスイッチ１は、ケース２０に埋設された固定接点１００、固定接点１００と接続しケース２０に保持された固定端子１１０、ケース２０に打ち込まれた鋲１２０、鋲１２０によりケース２０に保持された共通端子１３０、鋲１２０によりケース２０の内部で固定され受１４０、受１４０を支点とするように受１４０に揺動自在に保持された可動接片１５０、可動接片１５０の両端部に取り付けられた可動接点１６０を備えている。
【００２５】
固定端子１１０、鋲１２０、共通端子１３０、受１４０および可動接片１５０の材質は、導電性を有するものであれば、特に限定されず、公知な金属材料であってよい。また、固定接点１００および可動接点１６０の材質も特に限定されず、公知な接点材料であってよい。
【００２６】
固定接点１００および固定端子１１０は電気的に導通している。そして、鋲１２０、共通端子１３０、受１４０、可動接片１５０および可動接点１６０も電気的に導通している。また、図３において、固定接点１００と可動接点１６０とは、互いに離間しており、電気的に遮断されている。
【００２７】
ハウジング１０の断面形状は特に限定されるものではない。たとえば円形、楕円形であってもよい。また、ハウジング１０の材質は樹脂であっても金属であってもよい。また、ハウジング１０は、２つの幅狭側面１４に底部１１の近傍からフランジ部１３に向けて延びる係止片１５をそれぞれ有している。なお、幅狭側面１４および幅広側面１２が特許請求の範囲における第１側面および第２側面に相当する。
【００２８】
係止片１５はハウジング１０と一体部品であっても別部品で形成してもよい。係止片１５を形成する面は特に限定するものはないが、ハウジング１０を樹脂材料で係止片１５を一体成形する場合は、金型の複雑化を回避するため、互いに対向する側面に形成することが望ましい。ハウジング１０は、幅広側面１２に線ばね３０を引っ掛ける引掛部１６を有している。
【００２９】
ケース２０の材質は、絶縁性を有するものであれば、特に限定されるものではなく、たとえば公知な樹脂材料でよい。線ばね３０の材質は、ばね性を有する鋼材が望ましい。
【００３０】
操作板６０は、押下操作を受け付けるものである。操作板６０は、ユーザが操作方法を理解し易くするため、たとえば「ＯＮ」や「ＯＦＦ」、「開」や「閉」等の表示があってもよい。操作板６０は、その裏面に係合突起６１を形成している。
【００３１】
防水防塵カバー５０は、頂上部に係合突起６１が貫通する貫通孔５１を有している。また、防水防塵カバー５０は、フランジ部１３の全周を囲繞するように基端部がハウジング１０に取り付けられている。また、防水防塵カバー５０は、頂上部と基端部との間の周面として蛇腹状の蛇腹面５２を有している。
【００３２】
防水防塵カバー５０は、防水防塵カバー５０のフランジ部１３を囲繞する基端部に、ハウジング１０の底部１１側へ突出するリブ５３を形成している。リブ５３は、パネルPへ取り付けた際、フランジ部１３とパネルＰとの間で挟持される。
【００３３】
ボタン４０は防水防塵カバー５０に被覆されている。また、ボタン４０は、係合突起６１が挿入される係合孔４１を有している。また、防水防塵カバー５０は、係合突起６１が貫通孔５１を貫通して係合孔４１と係合することにより、ボタン４０に固定される。
【００３４】
防水防塵カバー５０は、係合突起６１と係合孔４１との係合により、ボタン４０と操作板６０との間で挟持される。そして、防水防塵カバー５０は、操作板６０との隙間や、フランジ部１３との隙間から水や粉塵が進入するのを防止する。
【００３５】
次にロッカスイッチ１の接点切換動作を説明する。図３において、操作板６０の一端部が押下操作を受けると、操作板６０、ボタン４０、転換子７０、滑動棒８０およびコイルばね９０が、ハウジング１０およびケース２０に対して一体となって揺動する。
【００３６】
防水防塵カバー５０は、押下操作を受けた一方側の蛇腹面５２が収縮し反対側の他方の蛇腹面５２が伸張することより、ボタン４０および操作板６０の揺動に追従する。
【００３７】
滑動棒８０は、コイルばね９０の付勢力により、可動接片１５０上を滑動する。滑動棒１８０の滑動により、可動接片１５０は、受１４０を支点に、図３における左右のいずれかに傾動する。可動接片１５０の傾動により、左右いずれかの可動接点１６０と固定接点１００とが接触して左右いずれかの共通端子１３０と固定端子１１０とが導通する。
【００３８】
そして、操作板６０の他端部が押下操作を受けると、操作板６０、ボタン４０、転換子７０、滑動棒８０およびコイルばね９０が、ハウジング１０およびケース２０に対して反対方向に一体となって揺動し、図３の状態に戻る。そして、操作板６０の他端部をもう一度押下すると、反対側の固定端子１１０と共通端子１３０とが導通する。
【００３９】
次に線ばね３０の構造を詳細に説明する。本実施形態における線ばね３０は、一本の線材を略コの字形状に折り曲げた構成である。線ばね３０の断面は特に限定されないが、加工性を考慮すると、円形であることが望ましい。
【００４０】
線ばね３０は、コの字の開口側の線上部３１、線上部３１から連続し山なりに湾曲した湾曲部３２、湾曲部３２から連続した線央部３３、線央部３３から連続した引掛部１６に引っ掛けられる被引掛部３４および被引掛部３４から連続した線下部３５から構成されている。
【００４１】
線ばね３０は、幅広側面１２と幅狭側面１４との間の角部近傍であり、フランジ部１３近傍の当接部１７に線上部３１を当接させ、被引掛部３４を引掛部１６に引っ掛けることにより、幅広側面１２に装着される。なお、ハウジング１０は、線上部３１の位置ずれを防止する突起を当接部１７の下方に設けてもよい。線ばね３０は、湾曲部３２が幅広側面１２からフランジ部１３の近傍で外方へ膨らむように装着される。そして、被引掛部３４の引っ掛けを解除することにより、幅広側面１２から脱着される。
【００４２】
引掛部１６は、線下部３５が幅広側面１２の内方へ撓ませるように被引掛部３４を引っかけている。これにより、線下部３５が幅広側面１２を押圧し、被引掛部３４を支点に、線上部３１も幅広側面１２を押圧する。
【００４３】
次に線ばね３０によるロッカスイッチ１の防水性および防塵性への作用を説明する。ロッカスイッチ１は、パネルＰに形成された取付孔Ｑにハウジング１０を挿入し、フランジ部１３を露出させてパネルPへ取り付ける。
【００４４】
そして、ハウジング１０を取付孔Ｑへ挿入する際、湾曲部３２および係止片１５は、幅広側面１２および幅狭側面１４に近接するように弾性変形する。線ばね３０は、パネルPに取り付けた後に装着してもよい。
【００４５】
リブ５３は、パネルPへ取り付けることにより、パネルPとフランジ部１３との間で挟持される。係止片１５は、その先端部を取付孔Ｑの内周面に係止させる。係止片１５の係止力により、リブ５３は圧接状態を維持される。係止片１５の先端部は段状であることが望ましい。湾曲部３２は、パネルPへ取り付けた際、パネルPを裏面側から押圧する。これにより、リブ５３をより圧接した状態にできる。
【００４６】
線ばね３０は、コの字の開口側をフランジ部１３に向けて装着している。本実施形態の変形例として、コの字の開口側を底部１１に向けて装着してもよい。また、さらなる変形例として、線ばね３０をコの字状ではなく、図６のように、開口のない矩形状等にしてもよい。これにより、フランジ部１３近傍での当接部１７の当接面積が広くなり、線ばね３０の位置ズレを低減できる。なお、図６は理解を容易にするため、ハウジング１０と線ばね３０と以外の部品は省略している。
【００４７】
以上に説明した通り、本実施形態によれば、線ばね３０の湾曲部３２が、パネルＰへ取り付けた際、パネルPの裏面を押圧し、リブ５３をより圧接するため、より高い防水性および防塵性を実現できる。また、線ばね３０は装着自在であるため、ユーザは使用環境に応じた防水性および防塵性を実現できる。
【００４８】
また、ユーザは、被引掛部３４を引掛部１６に引っ掛けるという簡単な作業のみで、線ばね３０をハウジング１０に容易に装着できる。その解除作業も容易である。さらに、装着した状態において、線上部３１および線下部３５が幅広側面１２を押圧しているため、線ばね３０の確実な装着を実現できる。
【００４９】
線ばね３０は、たとえば係止片１５を幅広側面１２に新たに形成するのに比べ、金型構造を複雑にする必要もない。また、線ばね３０は、インサート成形等によるハウジング１０への埋め込みを行わなくてもハウジング１０に装着でき脱着も可能であり、製造コストを低減できる。
【００５０】
また、本実施形態においてはロッカスイッチ１を用いて説明したが、本発明はスナップイン型の防水防塵スイッチであれば適用可能である。すなわち、本発明は、たとえば押ボタンスイッチや、スライドスイッチ等にも適用できる。このように、本発明は、以上に説明した実施形態に限定されるものではなく、本発明の趣旨を逸脱しない限り適宜変更することができる。
【符号の説明】
【００５１】
Ｐ      パネル
Ｑ      取付孔
１      ロッカスイッチ
１０    ハウジング
１１    底部
１２    幅広側面
１３    フランジ部
１４    幅狭側面
１５    係止片
１６    引掛部
１７    当接部
２０    ケース
３０    線ばね（線部材）
３１    線上部
３２    湾曲部
３３    線央部
３４    被引掛部
３５    線下部
４０    ボタン
４１    係合孔
５０    防水防塵カバー
５１    貫通孔
５２    蛇腹面
５３    リブ
６０    操作板
６１    係合突起
７０    転換子
８０    滑動棒
９０    コイルばね
１００  固定接点
１１０  固定端子
１２０  鋲
１３０  共通端子
１４０  受
１５０  可動接片
１６０  可動接点
【図１】
2019067539.tif 000003
【図２】
2019067539.tif 000004
【図３】
2019067539.tif 000005
【図４】
2019067539.tif 000006
【図５】
2019067539.tif 000007
【図６】
2019067539.tif 000008